(57)【要約】  【課題】  エスカレーター用主枠における側枠体の構成部材点数を低減して、エスカレーターの主枠を能率よく低コストで製造できると共に、外装板を透明にして、シースルーエレベーターを構成する際の意匠性を高め得るようにする。  【解決手段】  エスカレーターの主枠１を構成する左右一対の側枠体８を、上辺材８ａと、下辺材８ｂと、上，下辺材８ａ，８ｂの間を連結する垂直材１０と、上辺材８ａの両端側と下辺材８ｂの中間部との間に張り渡したテンション材１１とで構成することにより、従来、上辺材８ａと下辺材８ｂの間に配設されていたトラスの引張材又は圧縮材となる斜材を省略する。  【選択図】  図３
2006143356.tif 000002
【特許請求の範囲】
【請求項１】
エスカレーターの主枠を構成する左右一対の側枠体を、上辺材と、下辺材と、上，下辺材の間を連結する垂直材と、上辺材の両端側と下辺材の中間部との間に張り渡したテンション材とで構成することにより、上辺材と下辺材の間に配設される斜材を省略したことを特徴とするエスカレーター。
【請求項２】
エスカレーターの主枠を構成する左右一対の側枠体を、上辺材と、上辺材の両端側と上辺材の中間部から下方に垂下した束材の下端部との間に張り渡したテンション材とで構成することにより、下辺材及び斜材を省略したことを特徴とするエスカレーター。
【請求項３】
主枠の外装板を透明板で構成したことを特徴とする請求項１又は２に記載のエスカレーター。
【発明の詳細な説明】
【技術分野】
【０００１】
本発明は、エスカレーターに関し、詳しくは、上下階間に架設され、欄干、無端状に連結された踏段、移動手摺、踏段および移動手摺の駆動装置等を支持するエスカレーターの主枠の構造に関する。
【背景技術】
【０００２】
一般に、エスカレーターの主枠は、左右一対の側枠体とこれらを連結する横部材とを備えており、図９に示すように、上階床に支持される上水平部１ａと、下階床に支持される下水平部１ｂと、これら１ａ，１ｂの間に位置する傾斜部１ｃとで形成されている。そして、左右の側枠体は、特許文献１〜３にも示されているとおり、上辺材８ａと、下辺材８ｂと、上，下辺材８ａ，８ｂの間を連結する垂直材１０とを備え、上辺材８ａと下辺材８ｂの間に多数の斜材８ｃを配設して、上辺材８ａを上弦材、下辺材８ｂを下弦材とするとトラス構造とされている。
【０００３】
そのため、従来のエスカレーターの主枠では、トラス構造を組むためのアングル材等の部材点数が多いばかりでなく、斜材８ｃの組付けに多大の手間を要し、製造能率やコスト面で問題があった。
【０００４】
ところで、エスカレーターの主枠は、特許文献１に示すように、設計上や製造上の理由から複数に分割して構成されることが多い。この場合、エスカレーターの傾斜角度は建物に係わりなく一定であるが、エスカレーターを設置する建物の階高は、建物毎に異なり、図９に示すように、階高Ｈに伴ってエスカレーターの傾斜部１ｃの長さＬが変わるので、エスカレーター用主枠１の傾斜部１ｃにおいては、図１０に示すように、上階側と下階側に標準寸法Ｌ１の標準品Ａ，Ａを用い、それらＡ，Ａの間を必要寸法Ｌ２の特注品Ｂで連結することが多く、その結果、斜材８ｃのピッチ、上，下弦材（上，下辺材８ａ，８ｂ）に対する斜材８ｃの傾斜角度は一定にならないことが多い。また、斜材８ｃは、主として引張材として働くように配置されるので、斜材８ｃの向き（傾斜方向）は、上階側と下階側では逆になるのが普通である。これらの結果、全体として、斜材８ｃの向きやピッチ、傾斜角度がバラバラとなり、外観上、非常に不体裁で、意匠性に劣る。
【０００５】
このような斜材８ｃの向きやピッチ、傾斜角度のバラツキは、主枠１の外装板で視覚的に隠蔽されてしまうため、これまで全く問題にされていなかったが、外装板を透明にして、シースルーエレベーターを構成する場合には、意匠上、大きな問題となる。
【０００６】
【特許文献１】特開平７−２８５７７０号公報
【特許文献２】特開２００４−１８１５２号公報
【特許文献３】特開２００１−１８７６８２号公報
【発明の開示】
【発明が解決しようとする課題】
【０００７】
本発明は、上記の点に留意して成されたものであって、エスカレーター用主枠における側枠体の構成部材点数を低減して、エスカレーターの主枠を能率よく低コストで製造できると共に、外装板を透明にして、シースルーエレベーターを構成する際の意匠性を高め得るようにすることを課題とする。
【課題を解決するための手段】
【０００８】
上記の課題を解決するために、本発明が講じた技術的手段は、次の通りである。即ち、
請求項１に記載の発明によるエスカレーターは、エスカレーターの主枠を構成する左右一対の側枠体を、上辺材と、下辺材と、上，下辺材の間を連結する垂直材と、上辺材の両端側と下辺材の中間部との間に張り渡したテンション材とで構成することにより、上辺材と下辺材の間に配設される斜材を省略したことを特徴としている。
【０００９】
請求項２に記載の発明によるエスカレーターは、エスカレーターの主枠を構成する左右一対の側枠体を、上辺材と、上辺材の両端側と上辺材の中間部から下方に垂下した束材の下端部との間に張り渡したテンション材とで構成することにより、下辺材及び斜材を省略したことを特徴としている。
【００１０】
請求項３に記載の発明によるエスカレーターは、請求項１又は２に記載の発明において、主枠の外装板のうち少なくとも外部に露出する部分を透明板で構成したことを特徴としている。
【００１１】
尚、請求項１〜３に記載の発明において、テンション材としては、例えば、ＰＣ鋼棒、ＰＣ鋼線、ＰＣ鋼撚り線等、細くて引張強度に富むものが好適である。
【発明の効果】
【００１２】
請求項１に記載の発明によれば、上，下辺材と垂直材から成るはしご状の構造体をテンション材で補強することにより、斜材が省略されるので、構成部点数が減少することと、斜材の組み込み手間が省略されることとによって、エスカレーターの主枠を能率よく低コストで製造できる効果がある。また、テンション材に予め張力を付与することにより梁成（上，下辺材の間隔）を小さくできるので、特許文献３に記載のような主枠の高さ寸法の低いエスカレーターに好適である。
【００１３】
請求項２に記載の発明によれば、上記の効果に加えて、斜材だけでなく下辺材も省略されるので、一層能率よく且つ低コストで主枠を製造できる。
【００１４】
請求項３に記載の発明によれば、視線の妨げとなる部材が減少して、通路の向こうまで見通しが良くなり、視線透過性の高い意匠性に優れたシースルータイプのエレベーターを実現できる。
【発明を実施するための最良の形態】
【００１５】
図１、図２は本発明に係るエスカレーターの一例を示す。このエスカレーターは、上下階間に架設された主枠１と、踏段チェーン２によって無端状に連結され、前記主枠１内に設けた往路案内レール３ａ及び復路案内レール３ｂに沿って移動する踏段４と、踏段４の移動方向に沿ってその両側に立設された左右一対の欄干５と、これら欄干５の周縁に案内され、前記踏段４と同期する移動手摺６と、それらの駆動装置（図示せず）等によって構成されたものであり、欄干５だけでなく主枠１の外装板７まで、透明ガラス板、透明合成樹脂板等の透明板で構成することにより、通路の向こうまで見通すことができるシースルータイプのエスカレーターに構成してある。外装板７は、全体を透明板で構成してあるが、外部に露出する部分だけを透明板で構成してもよい。
【００１６】
前記主枠１は、図３、図４に示すように、左右一対の側枠体８とこれらを連結する横部材９とを備えており、上階床に支持される上水平部１ａと、下階床に支持される下水平部１ｂと、これらの間に位置する傾斜部１ｃとで形成されている。そして、左右の側枠体８は、夫々、上辺材８ａと、下辺材８ｂと、上，下辺材８ａ，８ｂの間を連結する複数の垂直材１０と、上辺材８ａの両端側（好ましくは、傾斜部１ｃにおける上辺材８ａの両端部）と下辺材８ｂの中間部との間に張り渡したテンション材１１とで構成されており、図９で示した従来の主枠（トラス構造）において上辺材８ａと下辺材８ｂの間に配設されてい
たトラスの引張材又は圧縮材となる斜材８ｃは省略されている。
【００１７】
図３におけるＨは階高、Ｌは傾斜部１ｃの長さを示す。主枠１としては、階高Ｈに対応した長さＬの傾斜部１ｃに垂直材１０を均等に割り付けて製造してもよいが、図示の実施形態では、図５に示すように、図９で示した従来例と同様に、傾斜部１ｃのうち、上階側と下階側に標準寸法Ｌ１の標準品Ａ，Ａを用い、それらＡ，Ａの間を必要寸法Ｌ２の特注品Ｂで連結するようにしている。
【００１８】
上辺材８ａ、下辺材８ｂ、垂直材１０としては、例えばアングル材などが使用される。テンション材１１としては、細くて引張強度に富むものであれば、ＰＣ鋼線やＰＣ鋼撚り線などを適宜採用できるが、図示の実施形態では、ＰＣ鋼棒を使用している。そして、テンション材１１の端部と上辺材８ａや下辺材８ｂとを連結する連結金物１２として、図示の実施形態では、図５、図６に示すように、ＰＣ鋼棒の両端に形成した逆ねじと螺合する雌ねじが形成された筒部１２ａと、その一端に連設された取付け板部１２ｂとから成る連結金物１２が使用され、取付け板部１２ｂを上辺材８ａや下辺材８ｂに水平方向のボルト・ナット１３で、その軸芯Ｐ周りで回転可能な状態に連結してある。従って、テンション材１１の傾斜角度に関係なく連結金物１２をテンション材１１と同芯状に連結することが可能であり、また、テンション材１１をその軸芯周りに回転させることにより、テンション材１１の実質的な長さの微調節を行うことができ、テンション材１１に張力を付与することも可能である。
【００１９】
図示しないが、連結金物１２としては、ターンバックル機構付きのものや、テンション材１１の一端を定着し、他端を緊張し得る形式のものに構成してもよく、図示の構造に限定されるものではない。
【００２０】
上記の構成によれば、上，下辺材８ａ，８ｂと垂直材１０から成るはしご状の構造体をテンション材１１で補強することにより、斜材が省略されるので、構成部点数が減少することと、斜材の組み込み手間が省略されることとによって、エスカレーターの主枠１を能率よく低コストで製造できることになる。
【００２１】
また、連結金物１２が水平なボルト・ナット１３の軸芯Ｐ周りで回転可能に構成されているので、図７に、実線と破線で示すように、階高Ｈの異なる建物にエスカレーターを設置する場合、階高Ｈに応じて上，下辺材８ａ，８ｂに対するテンション材１１の傾斜角度が変わっても、連結金物１２を軸芯Ｐ周りに回転させることによってそれに対処できる。換言すれば、傾斜部１ｃの長さＬが異なる主枠１を構成する場合、連結金物１２が共通材となり、テンション材１１の長さだけを変えることになるので、経済的である。
【００２２】
殊に、上記の実施形態のように、主枠１の外装板７を透明板としてシースルーエスカレーターを構成する場合、斜材が省略される結果、視線の妨げとなる部材が減少して、通路の向こうまで見通しが良くなり、視線透過性の高い意匠性に優れたシースルータイプのエレベーターを実現できるのである。
【００２３】
また、テンション材１１に予め張力を付与することにより梁成（上，下辺材８ａ，８ｂの間隔）を小さくできるので、主枠１の高さ寸法の低いエスカレーターに好適である。
【００２４】
図８は、本発明の他の実施形態を示し、エスカレーターの主枠１を構成する左右一対の側枠体８を、上辺材８ａと、上辺材８ａの両端側（好ましくは、傾斜部１ｃにおける上辺材８ａの両端部）と上辺材８ａの中間部から下方に垂下した束材１４の下端部との間に張り渡したテンション材１１とで構成することにより、斜材だけでなく、図１〜図７に示した実施形態における下辺材８ｂまで省略した点に特徴がある。図８において、仮想線で示
す１５は駆動輪１６ａを支持するブラケット、１７は従動輪１６ｂを支持するブラケット、１８は往路案内レール３ａ及び復路案内レール３ｂ支持するブラケットであり、これら１５，１７，１８は何れも上辺材８ａから下方に垂下した状態に連設され、下端部の間は横部材（図示せず）で連結されている。
【００２５】
この構成によれば、上述した諸効果に加えて、斜材８ｃだけでなく下辺材８ｂも省略されるので、一層能率よく且つ低コストで主枠１を製造できることになり、主枠１の外装板（図示せず）を透明板としてシースルータイプのエスカレーターを構成する場合には、一層視線透過性の高い意匠性に優れたシースルーエレベーターを実現できることになる。
【００２６】
以上、本発明を図示の実施形態に基づいて説明したが、本発明は図示の実施形態だけに限定されるものではなく、本発明の要旨を逸脱しない範囲において、種々なる態様で実施し得ることは勿論である。
【図面の簡単な説明】
【００２７】
【図１】本発明の一実施形態を示すエスカレーターの概略側面図である。
【図２】要部の拡大縦断正面図である。
【図３】主枠の側面図である。
【図４】主枠の斜視図である。
【図５】主枠の分解斜視図である。
【図６】テンション材の連結金物の一例を示す要部の縦断正面図である。
【図７】傾斜部の長さが異なる主枠の構成説明図である。
【図８】他の実施形態を示す主枠の側面図である。
【図９】従来例を示すエスカレーターの主枠の側面図である。
【図１０】図９で示した主枠の分解側面図である。
【符号の説明】
【００２８】
１  主枠
１ａ  上水平部
１ｂ  下水平部
１ｃ  傾斜部
８  側枠体
８ａ  上辺材
８ｂ  下辺材
１０  垂直材
１１  テンション材
【図１】
2006143356.tif 000003
【図２】
2006143356.tif 000004
【図３】
2006143356.tif 000005
【図４】
2006143356.tif 000006
【図５】
2006143356.tif 000007
【図６】
2006143356.tif 000008
【図７】
2006143356.tif 000009
【図８】
2006143356.tif 000010
【図９】
2006143356.tif 000011
【図１０】
2006143356.tif 000012